(57)【特許請求の範囲】
【請求項１】
左右方向に間隔をもって並べられた複数の前後方向を向くワイヤ材の底面同士を、左右方向を向く複数の連結杆をもって結合し、かつ、前記各ワイヤ材の前後両端部を互いに異なる傾斜角度をもって起立させるとともに、各ワイヤ材の前端部同士及び後端部同士を、左右方向を向く横杆をもって結合することにより、前後両端部に起立角度の異なる柵を形成してなる網棚を、左右１対の取付杆に上下方向の傾斜角度変更可能として取り付けた左右１対のブラケットに、前後方向の向きを変更可能として取り付けたことを特徴とする陳列棚装置。
【請求項２】
各ワイヤ材の前端部同士及び後端部同士を結合する横杆を、それぞれ上下１対からなるものとし、かつこれら上下の横杆に、プライスカード保持具の後面に設けた上下１対の係合片を係合するようにした請求項１記載の陳列棚装置。
【請求項３】
連結杆の両端部を、それぞれ、左右１対のブラケットの上端に形成した係止溝に係合させることにより、左右のブラケットに支持させるようにした請求項１または２記載の陳列棚装置。
【請求項４】
ブラケットの上面に、前下方に向かって凹入する係止溝を設け、この係止溝に、網棚を前後いずれの向きとしたときも、いずれかの連結杆が係合しうるようにすることにより、網棚を、前後方向の向きを変えて、ブラケットに取り付け可能とした請求項１〜３のいずれかに記載の陳列棚装置。
【発明の詳細な説明】
【０００１】
【発明の属する技術分野】
本発明は、網棚の前後の向きを反転させて使用することができるようにした陳列棚装置に関する。
【０００２】
【従来の技術】
図１２は、スーパーマーケット等において見られる陳列棚装置(01)の要部を示している。
【０００３】
垂直の背板(02)の表面には、上下方向を向く左右１対の中空杆(03)(03)が埋設されており、中空杆(03)の表面には、多数の係止孔(04)が上下方向に並べて穿設されている。
前後方向を向くとともに、上面の前後２箇所に係止溝(05)が設けられた左右１対の支持ブラケット(06)は、その後端部に形成された係止片（図示略）を係止孔(04)に係合することにより、背板(02)に係止される。
【０００４】
並置した多数のワイヤ材を互いに溶着して形成されるとともに、前後両端部にほぼ垂直の柵(07)(07)が形成された、商品（図示略）を載置するための網棚(08)は、前後及び左右対称形をなしている。網棚(08)の下面に固着された２本の横向きの連結杆(09)(09)を支持ブラケット(06)の係止溝(05)に係合させることにより、網棚(08)は、左右の支持ブラケット(06)(06)間に架設される。
【０００５】
上段の網棚(08)の前面には、左右方向に長く、前面開口部(011)にプライスカード（図示略を）を保持しうるようになっているプライスカード保持具(010)が、溶接により固着され、下段の網棚(08)の前面には、同様のプライスカード保持具(010)が、その裏面に突設された下向きＵ字形をなす係止具(012)を、網棚(08)の前面上縁部をなすワイヤ材に係合することにより着脱自在に取り付けられている。
【０００６】
【発明が解決しようとする課題】
網棚による陳列のバリエーションを広げたい場合には、上述の網棚(08)に代えて、網棚(08)とはデザインの異なる網棚（図示略）を支持ブラケット(06)(06)に架設すればよいが、そのためには、少なくとも２個の網棚が必要となり、経済的な負担が増す。
【０００７】
また、上段の網棚(08)のプライスカード保持具(010)のように、網棚(08)に完全に溶着してしまうと、プライスカード保持具(010)を網棚(08)から取り外すことができなくなる。
【０００８】
さらに、下段の網棚(08)のプライスカード保持具(010)のように、単に係止具(012)をワイヤ部材に係止しただけでは、網棚(08)が振動したり、顧客の体が網棚(08)に触れたような場合に、プライスカード保持具(010)が回転したり、網棚(08)から脱落してしまうことがある。
【０００９】
本発明は、上述のような問題点を解決するためになされたもので、安価な手段により、陳列のバリエーションを広げうるとともに、柵へのプライスカード保持具の着脱が容易であり、かつ、柵に取り付けプライスカード保持具が、妄りに回転したり、脱落しないようにした陳列棚装置を提供することを目的としている。
【００１０】
【課題を解決するための手段】
本発明によると、上記課題は、次のようにして解決される。
(１) 左右方向に間隔をもって並べられた複数の前後方向を向くワイヤ材の底面同士を、左右方向を向く複数の連結杆をもって結合し、かつ、前記各ワイヤ材の前後両端部を互いに異なる傾斜角度をもって起立させるとともに、各ワイヤ材の前端部同士及び後端部同士を、左右方向を向く横杆をもって結合することにより、前後両端部に起立角度の異なる柵を形成してなる網棚を、左右１対の取付杆に上下方向の傾斜角度変更可能として取り付けた左右１対のブラケットに、前後方向の向きを変更可能として取り付ける。
【００１１】
(２) 上記(１)項において、各ワイヤ材の前端部同士及び後端部同士を結合する横杆を、それぞれ上下１対からなるものとし、かつこれら上下の横杆に、プライスカード保持具の後面に設けた上下１対の係合片を係合するものとする。
【００１２】
(３) 上記(１)または(２)項において、連結杆の両端部を、それぞれ、左右１対のブラケットの上端に形成した係止溝に係合させることにより、左右のブラケットに支持する。
【００１３】
(４) 上記(１)〜(３)項のいずれかにおいて、ブラケットの上面に、前下方に向かって凹入する係止溝を設け、この係止溝に、網棚を前後いずれの向きとしたときも、いずれかの連結杆が係合しうるようにすることにより、網棚を、前後方向の向きを変えて、ブラケットに取り付け可能とする。
【００１４】
【発明の実施の形態】
以下、本発明の一実施形態を、添付図面を参照しながら説明する。
なお、従来例と同じ部材には、同じ符号から冒頭の「０」を除いた符号を付すに止めて、その詳細な説明は省略する。また、以下の説明では、図１の右斜め下方を「前方」とし、左斜め上方を「後方」とする。
【００１５】
本実施形態の網棚(13)は、前後方向を向く多数のワイヤ材(14)を左右方向に適宜の間隔をもって並べ、各ワイヤ材(14)の底部に、左右方向を向く前後２本の連結杆(15)を溶着するとともに、ワイヤ材(14)の前後両端部を上方に折曲することにより前後の柵(16)(17)を形成し、かつ前後の柵(16)(17)の外面に、それぞれ、左右方向を向く上下２本のワイヤ材からなる取付杆(18)(19)を溶着したものである。
【００１６】
前後の柵(16)(17)の内、後方の柵(17)はほぼ垂直をなし、前方の柵(16)は、斜め前上方に向かって傾斜している。
プライスカード保持具(10)の後面における左右方向の中央部と左右両端部とには、図２に拡大して示すような、合成樹脂等の弾性体からなる弾性保持具(20)が固着されている。
【００１７】
弾性保持具(20)は、プライスカード保持具(10)の後面に固着される垂直の基片(21)の上端部に、後方を向く下向きＵ字形の上部係合片(22)を連設し、かつ基片(21)の下端部に、後向片(23)を連設し、後向片(23)の後端部を後上方へ向かって折曲して、下部係合片(24)としたものである。
【００１８】
上部係合片(22)の上片と、後片における左右方向の中央部にはスリット(25)が形成されている。上部係合片(22)と下部係合片(24)との間隔は、前後の柵(16)(17)に固着された２本の取付杆(18)(19)同士の間隔より若干狭くしてある。
【００１９】
図３及び図４に示すように、スリット(25)を前側の柵(16)部に嵌合しつつ、上部係合片(22)を上方の取付杆(18)に上方から係合し、かつ、後向片(23)を基片(21)に対して拡開させて、下部係合片(24)を下方の取付用ワイヤ材(19)に下方から弾性係合させることにより、弾性保持具(20)は前側の柵(16)に装着される。
【００２０】
図５は、ブラケット(26)を利用して、網棚(13)を陳列棚装置(１)に取り付けた状態を示す。
【００２１】
前後方向を向くブラケット(26)は、その後端部に形成された長さの異なる３個の係合片(27)(28)(29)を、それぞれ別個の係止孔(４)に係合することにより、左右の取付杆(３)に固定される。
【００２２】
ブラケット(26)の上面の前後２か所には、前下方に向かって凹入する係止溝(30)が形成されており、２本の連結杆(15)を各係止溝(30)に嵌合することにより、網棚(13)は左右のブラケット(26)(26)間に架設される。
【００２３】
また、本実施形態の陳列棚装置(１)は、ブラケット(26)の傾斜角度や網棚(13)の前後方向の向きを変えることにより、様々な態様での使用が可能である。
【００２４】
図７に示す使用態様は、ブラケット(26)における上段の係合片(27)の係止孔(４)への差し込み量を減少させることにより、ブラケット(26)及び網棚(13)を若干前下がりに傾斜させたものである。
このようにすると、網棚(13)の印象が変わるため、網棚(13)がこれまでとは異なる陳列効果を発揮するようになる。
【００２５】
図８に示す使用態様は、ブラケット(26)の傾斜角度は図７の状態と同じとしたまま、網棚(13)の前後方向の向きを反転させて、垂直柵(17)を前方に位置させるとともに、プライスカード保持具(10)を垂直柵(17)の前面に取り付けたものである。
【００２６】
図９に示す使用態様は、上段と中段の係合片(27)(28)の係止孔(４)への差し込み量をさらに減少させて、ブラケット(26)をさらに下向きに傾斜させたものである。
【００２７】
このようにブラケット(26)を前下方に傾斜させても、係止溝(30)が前斜め下方に向かって湾曲しているので、連結杆(15)(15)が係止溝(30)から脱落することはない。
【００２８】
なお、上部係合片(22)を上向きとし、かつ下部係合片(24)を下向きとするとともに、上部係合片(22)と下部係合片(24)との間隔を、取付杆(18)(19)同士の間隔よりも若干広くして、上部係合片(22)と下部係合片(24)を、両取付杆(18)(19)の対向面に弾性係合させて、弾性保持具(20)を網棚(13)に取り付けるようにしてもよい。
【００２９】
次に、図１０及び図１１を参照しながら、本発明の第２の実施形態について説明する。
なお、第１の実施形態と同様の部材には、同じ符号を付すに止めて、その詳細な説明は省略する。
【００３０】
本実施形態の弾性保持具(31)における後向片(23)の先端部には、左右１対の係合片(32)が連設され、各係合片(32)の上面には、上向円弧状をなす３個の係合溝(33)が前後方向に並べて設けられており、両係合片(32)(32)の間はスリット(34)となっている。
【００３１】
上部係合片(22)を、第１の実施形態と同じ要領で上方の取付用ワイヤ材(18)に弾性係合させ、かつ、スリット(34)をワイヤ材(14)に嵌合しつつ、いずれかの係合溝(33)を下方の取付杆(19)に下方から弾性係合すれば、弾性保持具(31)を網棚(13)の傾斜柵(16)に取り付けることができる。図示を省略したが、他の係合溝(33)を取付杆(19)に係合させるようにすれば、弾性保持具(31)の傾斜柵(16)への取付角度を変えることができる。
【００３２】
なお、上部係合片(22)を後方に向かってほぼ直線状に伸びるものとして、その下面に上記の係合溝(33)と同様のものを下向きとして並べて設けてもよい。
【００３３】
【発明の効果】
本発明によれば、次のような効果を奏することができる。
(ａ) 請求項１記載の発明によれば、網棚の前後の向きを変えるだけで、前方にくる柵の傾斜角度が変り、網棚の印象が変わるため、単一の網棚により、従来とは異なる陳列効果を発揮させることができる。
【００３４】
(ｂ) 請求項２記載の発明によれば、プライスカード保持具の後面に突設された上下１対の係合片を、上下の横杆に係合させることにより、プライスカード保持具を棚の前面に取り付けることができるので、プライスカード保持具の棚への着脱は容易であり、かつ、２本のプライスカード保持具が棚の前面から妄りに脱落することもない。
【００３５】
前後両方の柵に横杆を設けてあるので、網棚の前後方向の向きを変えた場合にも、網棚の前方にくる方の柵に常にプライスカード保持具を取り付けることができる。
また、網棚の構成部材である横杆を利用して、プライスカード保持具を網棚に取り付けることができるので、部品点数の軽減を図ることができる。
【００３６】
(ｃ) 請求項３記載の発明によると、網棚をブラケットに確実に支持させるこができる。
【００３７】
(ｄ) 請求項４記載の発明によれば、ブラケットの背板への取付角度と、網棚の前後を反転させることによる前方にくる柵の傾斜角度とを適宜変更することができるので、これらの組合せにより、陳列のバリエーションを更に広げることができる。
【図面の簡単な説明】
【図１】  本発明の一実施形態の網棚とプライスカード保持具の分解斜視図である。
【図２】  同じくプライスカード保持具の要部と弾性係合具の拡大分解斜視図である。
【図３】  同じくプライスカード保持具を網棚の前面に取り付けた状態における網棚とプライスカード保持具の要部の拡大平面図である。
【図４】  同じく図３のIV−IV線に沿う縦断側面図である。
【図５】  同じく網棚を陳列棚装置に取り付けた状態を示す縦断側面図である。
【図６】  同じく図５のVI−VI線に沿う拡大縦断側面図である。
【図７】  同じくブラケットの取付角度を変えた図５と同様の縦断側面図である。
【図８】  同じくブラケットの取付角度を図７と同じ状態とし、かつ網棚の前後方向の向きを変えた図５と同様の縦断側面図である。
【図９】  同じくブラケットの取付角度を図７よりさらに深くした図５と同様の縦断側面図である。
【図１０】  本発明の他の実施形態の図４と同様の拡大縦断側面図である。
【図１１】  同じく図１０のXI−XI線に沿う拡大横断平面図である。
【図１２】  従来の陳列棚装置の要部を示す斜視図である。
【符号の説明】
(１)陳列棚装置
(２)背板
(３)取付杆
(４)係止孔
(13)網棚
(14)ワイヤ材
(15)連結杆
(16)柵
(17)柵
(18)(19)取付杆
(20)弾性保持具
(21)基片
(22)上部係合片
(23)後向片
(24)下部係合片
(25)スリット
(26)ブラケット
(27)(28)(29)係合片
(30)係止溝
(31)弾性保持具
(32)係合片
(33)係合溝
(34)スリット
【図１】
0004028078.tif 000002
【図２】
0004028078.tif 000003
【図３】
0004028078.tif 000004
【図４】
0004028078.tif 000005
【図５】
0004028078.tif 000006
【図６】
0004028078.tif 000007
【図７】
0004028078.tif 000008
【図８】
0004028078.tif 000009
【図９】
0004028078.tif 000010
【図１０】
0004028078.tif 000011
【図１１】
0004028078.tif 000012
【図１２】
0004028078.tif 000013